(57)【要約】【課題】ネットワークを介して接続されている機器における診断情報の収集漏れが抑制できるようにする。【解決手段】動作状態収集部１０２は、診断部１３２が動作している状態か停止している状態かを示す動作状態に関する情報を収集する。収集状態確認部１０３は、診断情報が収集済みか未収集かを示す収集状態を確認する。収集状態確認部１０３は、設定されている直前の収集日時より後における診断情報の収集状態を確認する。表示制御部１０４は、動作状態および収集状態を表示部１０５に表示する。【選択図】  図１
2018124804.tif 000002
【特許請求の範囲】
【請求項１】
ネットワークを介して接続されている機器の診断部で診断された前記機器の診断情報を収集するように構成された診断情報収集部と、
前記診断部の動作状態を収集するように構成された動作状態収集部と、
前記診断情報の収集状態を確認するように構成された収集状態確認部と、
前記動作状態および前記収集状態を表示部に表示するように構成された表示制御部と
を備える機器状態表示装置。
【請求項２】
請求項１記載の機器状態表示装置において、
前記ネットワークを介して接続されている機器を識別する機器識別情報を含む前記機器の定義情報を記憶する記憶部を備え、
前記表示制御部は、前記機器識別情報と共に前記動作状態および前記収集状態を前記表示部に表示する
ことを特徴とする機器状態表示装置。
【請求項３】
請求項２記載の機器状態表示装置において、
前記記憶部は、更に、前記機器が診断情報を収集する対象か対象外かを示す対象情報を記憶し、
前記表示制御部は、前記機器識別情報と共に、前記対象情報を前記表示部に表示する
ことを特徴とする機器状態表示装置。
【請求項４】
請求項２または３記載の機器状態表示装置において、
前記記憶部に記憶されている前記定義情報に定義されている診断情報のパラメータをもとに、前記診断情報収集部が収集した診断情報のパラメータが正常か否かを判断するように構成されたパラメータ確認部を備え、
前記表示制御部は、前記機器識別情報と共に、前記パラメータ確認部の判断結果を前記表示部に表示する
ことを特徴とする機器状態表示装置。
【発明の詳細な説明】
【技術分野】
【０００１】
本発明は、ネットワークを介して接続されている機器の状態を表す診断情報を収集して表示する機器状態表示装置に関する。
【背景技術】
【０００２】
近年、機器・計器、装置・設備の健全性を診断する技術や、診断を支援するためのシステムが提案されている。特許文献１では、機器管理装置と管理対象のフィールド機器とを通信ラインで接続し、フィールド機器の診断情報を定周期で収集する機器管理システムについて開示されている。また、収集された診断情報を機器管理装置の画面上に表示することについても言及されている。
【０００３】
このシステムにおいて、フィールド機器は、センサが収集した情報に基づいて、診断部が診断情報を算出する。算出された診断情報はフィールド機器内の記憶部に保存される。機器管理装置は、ネットワークを介し、診断部が算出した診断情報を定周期で収集する。このようなシステムや装置により、機器・計器、装置・設備の健全性を診断する情報を画面に表示し、観察・分析することが可能となっている。
【先行技術文献】
【特許文献】
【０００４】
【特許文献１】特開２０１５−０９０５９５号公報
【発明の概要】
【発明が解決しようとする課題】
【０００５】
しかしながら、診断情報の収集漏れが発生するという問題がある。例えば、フィールド機器には複数の診断部を備える場合がある。例えば、調節弁のポジショナでは、摺動距離の積算、全閉回数、反転動作回数、開度別頻度分布、最大作動速度、スティックスリップ状態、開度偏差などの診断情報を算出する多くの診断部を備えている。このようなフィールド機器においては、常に全ての診断部が動作しているわけではない。
【０００６】
例えば、フィールドバス協会（Fieldbus Foundation［登録商標］）によって標準化されているファウンデーションフィールドバス(Foundation Fieldbus)では、複数の診断部をまとめた診断（機能）ブロック毎に、動作の計画を設定する。このため、診断情報を収集する時点では、動作計画では停止している診断部の診断情報は、収集されない。このような、フィールド機器毎の設定状態は、知識の無い操作者には確認することが容易ではない。このため、診断情報の収集時に診断部が停止していても、操作者には気づかれず、結果として、診断情報の収集漏れが発生してしまう。
【０００７】
本発明は、以上のような問題点を解消するためになされたものであり、ネットワークを介して接続されている機器における診断情報の収集漏れが抑制できるようにすることを目的とする。
【課題を解決するための手段】
【０００８】
本発明に係る機器状態表示装置は、ネットワークを介して接続されている機器の診断部で診断された機器の診断情報を収集するように構成された診断情報収集部と、診断部の動作状態を収集するように構成された動作状態収集部と、診断情報の収集状態を確認するように構成された収集状態確認部と、動作状態および収集状態を表示部に表示するように構成された表示制御部とを備える。
【０００９】
上記機器状態表示装置において、ネットワークを介して接続されている機器を識別する機器識別情報を含む機器の定義情報を記憶する記憶部を備え、表示制御部は、機器識別情報と共に動作状態および収集状態を表示部に表示する。
【００１０】
上記機器状態表示装置において、記憶部は、更に、機器が診断情報を収集する対象か対象外かを示す対象情報を記憶し、表示制御部は、機器識別情報と共に、対象情報を表示部に表示する。
【００１１】
上記機器状態表示装置において、記憶部に記憶されている定義情報に定義されている診断情報のパラメータをもとに、診断情報収集部が収集した診断情報のパラメータが正常か否かを判断するように構成されたパラメータ確認部を備え、表示制御部は、機器識別情報と共に、パラメータ確認部の判断結果を表示部に表示する。
【発明の効果】
【００１２】
以上説明したことにより、本発明によれば、ネットワークを介して接続されている機器における診断情報の収集漏れが抑制できるという優れた効果が得られる。
【図面の簡単な説明】
【００１３】
【図１】図１は、本発明の実施の形態１における機器状態表示装置１００の構成を示す構成図である。
【図２】図２は、実施の形態１の表示部１０５における表示例を示す説明図である。
【図３】図３は、本発明の実施の形態２における機器状態表示装置１００ａの構成を示す構成図である。
【図４】図４は、実施の形態２の表示部１０５における表示例を示す説明図である。
【図５】図５は、本発明の実施の形態における機器状態表示装置のハードウエア構成を示す構成図である。
【発明を実施するための形態】
【００１４】
以下、本発明の実施の形態について図を参照して説明する。
【００１５】
［実施の形態１］
はじめに、本発明の実施の形態１について図１を用いて説明する。図１は、本発明の実施の形態１における機器状態表示装置１００の構成を示す構成図である。機器状態表示装置１００は、診断情報収集部１０１、動作状態収集部１０２、収集状態確認部１０３、表示制御部１０４、表示部１０５、記憶部１０６を備える。機器状態表示装置１００は、ネットワーク１２１を介してフィールド機器１３０に接続している。フィールド機器１３０は、センサ１３１および診断部１３２を備える。ネットワーク１２１は、例えば、構内ネットワーク（ＬＡＮ）である。
【００１６】
診断情報収集部１０１は、ネットワーク１２１を介して接続されているフィールド機器１３０の診断部１３２で診断されたフィールド機器１３０の診断情報を収集する。フィールド機器１３０では、センサ１３１が収集したデータに基づいて、診断部１３２が診断情報を算出する。フィールド機器１３０は、例えばポジショナであり、調節弁の弁軸位置をセンサ１３１が収集する。診断部１３２は、センサ１３１が収集した弁軸位置の変位の挙動より、スティックスリップの発生を診断している。
【００１７】
動作状態収集部１０２は、診断部１３２が動作している状態か停止している状態かを示す動作状態に関する情報を収集する。収集状態確認部１０３は、診断情報が収集済みか未収集かを示す収集状態を確認する。収集状態確認部１０３は、設定されている直前の収集日時における診断情報の収集状態を確認する。
【００１８】
表示制御部１０４は、動作状態および収集状態を表示部１０５に表示する。表示制御部１０４は、機器識別情報と共に動作状態および収集状態を表示部１０５に表示する。また、表示制御部１０４は、フィールド機器１３０を識別するための識別情報と共に、対象情報を表示部１０５に表示する。
【００１９】
例えば、表示部１０５には、図２に示すように、「機器識別」、「動作状態」、「収集状態」、「収集対象」、「収集日時」の各項目に、各情報が表示される。「機器識別」の項目には、「ＦＣＶ００１」、「ＦＣＶ００２」、「ＦＣＶ００３」、「ＦＣＶ００４」、「ＦＣＶ００５」などの機器識別情報が表示される。
【００２０】
「動作状態」の項目には、診断部１３２が起動していることを示す「起動」、または停止していることを示す「停止」が表示される。図２に示す例では、「ＦＣＶ００２」および「ＦＣＶ００４」で識別されるフィールド機器の診断部が停止している状態にあり、他のフィールド機器の診断部は起動している状態にあることが示されている。
【００２１】
「収集状態」の項目には、診断部１３２が算出した診断情報を、診断情報収集部１０１が継続的に収集していれば、「収集中」が表示され、診断情報がまだ収集されていなければ「未収集」が表示される。フィールド機器毎に設定されている診断情報の直前の収集時期の診断情報の収集状態が、「収集状態」の項目に表示される。
【００２２】
「収集対象」の項目には、対応する機器識別情報によって識別されるフィールド機器が診断情報を収集する対象であれば「対象」が表示され、診断情報を収集する対象外であれば「対象外」が表示される。図２に示す例では、「ＦＣＶ００４」で識別されるフィールド機器は、診断情報の収集対象外であり、他のフィールド機器は、診断情報の収集対象であることが示されている。
【００２３】
「収集日時」の項目には、現在保持している診断情報が収集された日時が示される。例えば、「ＦＣＶ００２」で識別されるフィールド機器は、診断情報の収集対象であり、直前の収集日時の診断情報が未収集であり、現在保持している診断情報は、「２０１６／０３／１２」に収集されたものであることが示されている。
【００２４】
記憶部１０６は、ネットワーク１２１を介して接続されている機器管理対象のフィールド機器１３０の定義情報を記憶する。定義情報には、フィールド機器１３０を識別する機器識別情報が含まれている。また、記憶部１０６は、診断情報を収集する対象か対象外かを示す対象情報と共に上述した定義情報を記憶する。
【００２５】
以上に説明したように、実施の形態１では、まず、診断情報の収集対象となっている機器の診断情報が、収集されているかいないかが一目で判断できる。また、診断情報の収集対象となっている機器の診断情報が、未収集である原因が、機器の診断部が停止していることが一目で判断できる。このため、対象の機器の診断部を起動させれば、診断情報が収集できることが簡単に把握できる。このように、実施の形態１によれば、ネットワークを介して接続されている機器における診断情報の収集漏れが抑制できるようになる。
【００２６】
［実施の形態２］
次に、本発明の実施の形態２について図３を用いて説明する。図３は、本発明の実施の形態２における機器状態表示装置１００ａの構成を示す構成図である。機器状態表示装置１００ａは、診断情報収集部１０１、動作状態収集部１０２、収集状態確認部１０３、表示制御部１０４、表示部１０５、記憶部１０６を備える。機器状態表示装置１００ａは、ネットワーク１２１を介してフィールド機器１３０に接続している。フィールド機器１３０は、センサ１３１および診断部１３２を備える。
【００２７】
上述した構成は、前述した実施の形態１と同様である。実施の形態２では、上述した構成に加え、パラメータ確認部２０１を備える。
【００２８】
パラメータ確認部２０１は、記憶部１０６に記憶されている定義情報に定義されている診断情報のパラメータをもとに、診断情報収集部１０１が収集した診断情報のパラメータが正常（正常範囲に入っている）か否かを判断する。定義情報には、例えば、診断情報を生成するための正常範囲を示す閾値などが、診断情報のパラメータとして定義されている。
【００２９】
表示制御部１０４は、機器識別情報と共に、パラメータ確認部２０１の判断結果を表示部１０５に表示する。表示制御部１０４は、パラメータ確認部２０１が正常範囲に入っていると判断した場合に、機器の診断情報が正常であることを表示し、パラメータ確認部２０１が正常範囲に入っていないと判断した場合に、機器の診断情報が異常であることを表示する。
【００３０】
例えば、表示部１０５には、図４に示すように、「機器識別」、「診断情報」（判断結果）、「動作状態」、「収集状態」、「収集対象」、「収集日時」の各項目に、各情報が表示される。「機器識別」の項目には、「ＦＣＶ００１」、「ＦＣＶ００２」、「ＦＣＶ００３」、「ＦＣＶ００４」、「ＦＣＶ００５」などの機器識別情報が表示される。
【００３１】
「診断情報」の項目には、パラメータ確認部２０１の判断結果として「正常」または「異常」が示される。「正常」は、パラメータ確認部２０１により、診断情報収集部１０１が収集した診断情報のパラメータが正常範囲に入っていると判断されたことを示す。「異常」は、パラメータ確認部２０１により、診断情報収集部１０１が収集した診断情報のパラメータが、正常範囲に入っていなかったと判断されたことを示す。図４に示す例では、「ＦＣＶ００３」および「ＦＣＶ００４」で識別されるフィールド機器については、診断情報のパラメータ（例えば、調節弁の弁軸位置の正常範囲）が、正常範囲に入っていなかったことが示されている。
【００３２】
「動作状態」の項目には、診断部１３２が起動していることを示す「起動」、または停止していることを示す「停止」が表示される。図４に示す例では、「ＦＣＶ００４」で識別されるフィールド機器の診断部が停止している状態にあり、他のフィールド機器の診断部は起動している状態にあることが示されている。
【００３３】
「収集状態」の項目には、診断部１３２が算出した診断情報を、診断情報収集部１０１が継続的に収集していれば「収集中」が表示され、診断情報がまだ収集されていなければ「未収集」が表示される。フィールド機器毎に設定されている診断情報の直前の収集時期の診断情報の収集状態が、「収集状態」の項目に表示される。
【００３４】
「収集対象」の項目には、対応する機器識別情報によって識別されるフィールド機器が診断情報を収集する対象であれば「対象」が表示され、診断情報を収集する対象外であれば「対象外」が表示される。図４に示す例では、「ＦＣＶ００４」で識別されるフィールド機器は、診断情報の収集対象外であり、他のフィールド機器は、診断情報の収集対象であることが示されている。
【００３５】
「収集日時」の項目には、現在保持している診断情報が収集された日時が示される。
【００３６】
図４に示す例では、「ＦＣＶ００３」で識別されるフィールド機器は、診断情報の収集対象であるが、直前の収集日時「２０１６／０５／１２」の診断情報が収集中であることが示されている。また、「ＦＣＶ００３」で識別されるフィールド機器は、診断情報のパラメータが正常範囲に入っていなかったことが示されている。この場合、「ＦＣＶ００３」で識別されるフィールド機器は、診断情報が収集中であるが、間違った診断情報が収集されていることが判断できる。
【００３７】
以上に説明したように、実施の形態２でも、まず、診断情報の収集対象となっている機器の診断情報が、収集されているかいないかが一目で判断できる。また、診断情報の収集対象となっている機器の診断情報が、未収集である原因が、機器の診断部が停止していることが一目で判断できる。このため、対象の機器の診断部を起動させれば、診断情報が収集できることが簡単に把握できる。このように、実施の形態２においても、ネットワークを介して接続されている機器における診断情報の収集漏れが抑制できるようになる。
【００３８】
また、実施の形態２では、収集している診断情報が、正常範囲か否かが判断でき、対象となるフィールド機器の健全性が判断できる。
【００３９】
なお、機器状態表示装置は、図５に示すように、ＣＰＵ（Central Processing Unit；中央演算処理装置）３０１と主記憶装置３０２と外部記憶装置３０３とネットワーク接続装置３０４となどを備えたコンピュータ機器であり、主記憶装置に展開されたプログラムによりＣＰＵが動作することで、上述した各機能が実現される。ネットワーク接続装置３０４は、ネットワーク３０５に接続する。また、各機能は、複数のコンピュータ機器に分散させるようにしてもよい。
【００４０】
以上に説明したように、本発明によれば、診断情報の収集対象であるか否か、診断部が起動しているか否か、診断情報が収集中であるか否かを表示するようにしたので、ネットワークを介して接続されている機器における診断情報の収集漏れが抑制できるようにするようになる。
【００４１】
なお、本発明は以上に説明した実施の形態に限定されるものではなく、本発明の技術的思想内で、当分野において通常の知識を有する者により、多くの変形および組み合わせが実施可能であることは明白である。例えば、同一の機器識別の行を上下に分け、上段に最新の情報を表示し、下段に前回の診断情報取得時の情報を表示するようにしてもよい。また、得られている情報をもとに現状を推定し、推定した結果を表示するようにしてもよい。
【符号の説明】
【００４２】
１００…機器状態表示装置、１０１…診断情報収集部、１０２…動作状態収集部、１０３…収集状態確認部、１０４…表示制御部、１０５…表示部、１０６…記憶部、１２１…ネットワーク、１３０…フィールド機器、１３１…センサ、１３２…診断部。
【図１】
2018124804.tif 000003
【図２】
2018124804.tif 000004
【図３】
2018124804.tif 000005
【図４】
2018124804.tif 000006
【図５】
2018124804.tif 000007